【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
グリップとカメラ本体との間に取付可能なアダプタであって、
前記アダプタは、
貫通穴が形成され、前記カメラ本体に接触するアダプタ本体部と、
前記カメラ本体との位置決めを行う第１の位置決め手段と、を有し、
前記グリップは、
前記アダプタに接触するグリップ本体部と、
前記アダプタとの位置決めを行う第２の位置決め手段と、
前記貫通穴を介して前記カメラ本体のネジ穴に螺合可能なネジと、
前記グリップ本体部に対して前記ネジを移動させる操作部と、を有し、
前記ネジは、ユーザによる前記操作部の操作に応じて、前記カメラ本体の光軸に沿った方向および前記光軸に直交する方向を含む複数の方向に移動可能であり、
前記貫通穴には、前記グリップと前記カメラ本体とを固定するために前記グリップの前記ネジが挿入され、且つ前記貫通穴は、前記ネジの径よりも大きい径を備えることを特徴とするアダプタ。
【請求項２】
前記アダプタは、前記カメラ本体と前記アダプタとを電気的に接続する第１の接点部と、前記アダプタと前記グリップとを電気的に接続する第２の接点部と、を有し、
前記グリップは、電池収納部を有するバッテリーグリップであり、
前記第１の接点部、前記第２の接点部を介して、前記バッテリーグリップで生成される信号の情報および電源の情報が前記カメラ本体に送信されることを特徴とする請求項１に記載のアダプタ。
【請求項３】
前記貫通穴の中心軸は、前記第１の位置決め手段、前記第２の位置決め手段により前記カメラ本体との位置決めが行われた後、ユーザによる前記操作部の操作に応じて、前記カメラ本体のネジ穴の中心軸と一致するように前記ネジに螺合することを特徴とする請求項１または２に記載のアダプタ。
【請求項４】
アダプタを介してカメラ本体に取り付け可能であるグリップであって、
前記アダプタは、
貫通穴が形成され、前記カメラ本体に接触するアダプタ本体部と、
前記カメラ本体との位置決めを行う第１の位置決め手段と、を有し、
前記グリップは、
前記アダプタに接触するグリップ本体部と、
前記アダプタとの位置決めを行う第２の位置決め手段と、
前記貫通穴を介して前記カメラ本体のネジ穴に螺合可能なネジと、
前記グリップ本体部に対して前記ネジを移動させる操作部と、を有し、
前記ネジは、ユーザによる前記操作部の操作に応じて、前記カメラ本体の光軸に沿った方向および前記光軸に直交する方向を含む複数の方向に移動可能であり、
前記貫通穴には、前記グリップと前記カメラ本体とを固定するために前記グリップの前記ネジが挿入され、且つ前記貫通穴は、前記ネジの径よりも大きい径を備えることを特徴とするグリップ。
【請求項５】
アダプタを介してグリップが取り付け可能であるカメラ本体であって、
前記アダプタは、
貫通穴が形成され、前記カメラ本体に接触するアダプタ本体部と、
前記カメラ本体との位置決めを行う第１の位置決め手段と、を有し、
前記グリップは、
前記アダプタに接触するグリップ本体部と、
前記アダプタとの位置決めを行う第２の位置決め手段と、
前記貫通穴を介して前記カメラ本体のネジ穴に螺合可能なネジと、
前記グリップ本体部に対して前記ネジを移動させる操作部と、を有し、
前記ネジは、ユーザによる前記操作部の操作に応じて、前記カメラ本体の光軸に沿った方向および前記光軸に直交する方向を含む複数の方向に移動可能であり、
前記貫通穴には、前記グリップと前記カメラ本体とを固定するために前記グリップの前記ネジが挿入され、且つ前記貫通穴は、前記ネジの径よりも大きい径を備えることを特徴とするカメラ本体。
【請求項６】
アクセサリと光学機器との間に取付可能なアダプタであって、
前記アダプタは、
貫通穴が形成され、前記光学機器に接触するアダプタ本体部と、
前記光学機器との位置決めを行う第１の位置決め手段と、を有し、
前記アクセサリは、
前記アダプタに接触するアクセサリ本体部と、
前記アダプタとの位置決めを行う第２の位置決め手段と、
前記貫通穴を介して前記光学機器のネジ穴に螺合可能なネジと、
前記アクセサリ本体部に対して前記ネジを移動させる操作部と、を有し、
前記ネジは、ユーザによる前記操作部の操作に応じて、前記光学機器の光軸に沿った方向および前記光軸に直交する方向を含む複数の方向に移動可能であり、
前記貫通穴には、前記アクセサリと前記光学機器とを固定するために前記アクセサリの前記ネジが挿入され、且つ前記貫通穴は、前記ネジの径よりも大きい径を備えることを特徴とするアダプタ。
【請求項７】
前記アダプタは、前記光学機器と前記アダプタとを電気的に接続する第１の接点部と、前記アダプタと前記アクセサリとを電気的に接続する第２の接点部と、を有し、
前記アクセサリは、電池収納部を有するバッテリーグリップであり、
前記第１の接点部、前記第２の接点部を介して、前記バッテリーグリップで生成される信号の情報および電源の情報が前記光学機器に送信されることを特徴とする請求項６に記載のアダプタ。
【請求項８】
前記貫通穴の中心軸は、前記第１の位置決め手段、前記第２の位置決め手段により前記光学機器との位置決めが行われた後、ユーザによる前記操作部の操作に応じて、前記光学機器のネジ穴の中心軸と一致するように前記ネジに螺合することを特徴とする請求項６または７に記載のアダプタ。
【請求項９】
アダプタを介して光学機器に取り付け可能であるアクセサリであって、
前記アダプタは、
貫通穴が形成され、前記光学機器に接触するアダプタ本体部と、
前記光学機器との位置決めを行う第１の位置決め手段と、を有し、
前記アクセサリは、
前記アダプタに接触するアクセサリ本体部と、
前記アダプタとの位置決めを行う第２の位置決め手段と、
前記貫通穴を介して前記光学機器のネジ穴に螺合可能なネジと、
前記アクセサリ本体部に対して前記ネジを移動させる操作部と、を有し、
前記ネジは、ユーザによる前記操作部の操作に応じて、前記光学機器の光軸に沿った方向および前記光軸に直交する方向を含む複数の方向に移動可能であり、
前記貫通穴には、前記アクセサリと前記光学機器とを固定するために前記アクセサリの前記ネジが挿入され、且つ前記貫通穴は、前記ネジの径よりも大きい径を備えることを特徴とするアクセサリ。
【請求項１０】
アダプタを介してアクセサリが取り付け可能である光学機器であって、
前記アダプタは、
貫通穴が形成され、前記光学機器に接触するアダプタ本体部と、
前記光学機器との位置決めを行う第１の位置決め手段と、を有し、
前記アクセサリは、
前記アダプタに接触するアクセサリ本体部と、
前記アダプタとの位置決めを行う第２の位置決め手段と、
前記貫通穴を介して前記光学機器のネジ穴に螺合可能なネジと、
前記アクセサリ本体部に対して前記ネジを移動させる操作部と、を有し、
前記ネジは、ユーザによる前記操作部の操作に応じて、前記光学機器の光軸に沿った方向および前記光軸に直交する方向を含む複数の方向に移動可能であり、
前記貫通穴には、前記アクセサリと前記光学機器とを固定するために前記アクセサリの前記ネジが挿入され、且つ前記貫通穴は、前記ネジの径よりも大きい径を備えることを特徴とする光学機器。
【手続補正２】
【補正対象書類名】明細書
【補正対象項目名】発明の名称
【補正方法】変更
【補正の内容】
【発明の名称】アダプタ、グリップ、カメラ本体、アクセサリおよび光学機器
【手続補正３】
【補正対象書類名】明細書
【補正対象項目名】０００６
【補正方法】変更
【補正の内容】
【０００６】
本発明の一側面としてのアダプタは、グリップとカメラ本体との間に取付可能なアダプタであって、貫通穴が形成され、前記カメラ本体に接触するアダプタ本体部と、前記カメラ本体との位置決めを行う第１の位置決め手段と、を有し、前記グリップは、前記アダプタに接触するグリップ本体部と、前記アダプタとの位置決めを行う第２の位置決め手段と、前記貫通穴を介して前記カメラ本体のネジ穴に螺合可能なネジと、前記グリップ本体部に対して前記ネジを移動させる操作部と、を有し、前記ネジは、ユーザによる前記操作部の操作に応じて、前記カメラ本体の光軸に沿った方向および前記光軸に直交する方向を含む複数の方向に移動可能であり、前記貫通穴には、前記グリップと前記カメラ本体とを固定するために前記グリップの前記ネジが挿入され、且つ前記貫通穴は、前記ネジの径よりも大きい径を備える。
【手続補正４】
【補正対象書類名】明細書
【補正対象項目名】０００７
【補正方法】変更
【補正の内容】
【０００７】
本発明の他の側面としてのグリップは、アダプタを介してカメラ本体に取り付け可能であるグリップであって、前記アダプタは、貫通穴が形成され、前記カメラ本体に接触するアダプタ本体部と、前記カメラ本体との位置決めを行う第１の位置決め手段と、を有し、前記グリップは、前記アダプタに接触するグリップ本体部と、前記アダプタとの位置決めを行う第２の位置決め手段と、前記貫通穴を介して前記カメラ本体のネジ穴に螺合可能なネジと、前記グリップ本体部に対して前記ネジを移動させる操作部と、を有し、前記ネジは、ユーザによる前記操作部の操作に応じて、前記カメラ本体の光軸に沿った方向および前記光軸に直交する方向を含む複数の方向に移動可能であり、前記貫通穴には、前記グリップと前記カメラ本体とを固定するために前記グリップの前記ネジが挿入され、且つ前記貫通穴は、前記ネジの径よりも大きい径を備える。
【手続補正５】
【補正対象書類名】明細書
【補正対象項目名】０００８
【補正方法】変更
【補正の内容】
【０００８】
本発明の他の側面としてのカメラ本体は、アダプタを介してグリップが取り付け可能であるカメラ本体であって、前記アダプタは、貫通穴が形成され、前記カメラ本体に接触するアダプタ本体部と、前記カメラ本体との位置決めを行う第１の位置決め手段と、を有し、前記グリップは、前記アダプタに接触するグリップ本体部と、前記アダプタとの位置決めを行う第２の位置決め手段と、前記貫通穴を介して前記カメラ本体のネジ穴に螺合可能なネジと、前記グリップ本体部に対して前記ネジを移動させる操作部と、を有し、前記ネジは、ユーザによる前記操作部の操作に応じて、前記カメラ本体の光軸に沿った方向および前記光軸に直交する方向を含む複数の方向に移動可能であり、前記貫通穴には、前記グリップと前記カメラ本体とを固定するために前記グリップの前記ネジが挿入され、且つ前記貫通穴は、前記ネジの径よりも大きい径を備える。
本発明の他の側面としてのアダプタは、アクセサリと光学機器との間に取付可能なアダプタであって、貫通穴が形成され、前記光学機器に接触するアダプタ本体部と、前記光学機器との位置決めを行う第１の位置決め手段と、を有し、前記アクセサリは、前記アダプタに接触するアクセサリ本体部と、前記アダプタとの位置決めを行う第２の位置決め手段と、前記貫通穴を介して前記光学機器のネジ穴に螺合可能なネジと、前記アクセサリ本体部に対して前記ネジを移動させる操作部と、を有し、前記ネジは、ユーザによる前記操作部の操作に応じて、前記光学機器の光軸に沿った方向および前記光軸に直交する方向を含む複数の方向に移動可能であり、前記貫通穴には、前記アクセサリと前記光学機器とを固定するために前記アクセサリの前記ネジが挿入され、且つ前記貫通穴は、前記ネジの径よりも大きい径を備える。
本発明の他の側面としてのアクセサリは、アダプタを介して光学機器に取り付け可能であるアクセサリであって、前記アダプタは、貫通穴が形成され、前記光学機器に接触するアダプタ本体部と、前記光学機器との位置決めを行う第１の位置決め手段と、を有し、前記アクセサリは、前記アダプタに接触するアクセサリ本体部と、前記アダプタとの位置決めを行う第２の位置決め手段と、前記貫通穴を介して前記光学機器のネジ穴に螺合可能なネジと、前記アクセサリ本体部に対して前記ネジを移動させる操作部と、を有し、前記ネジは、ユーザによる前記操作部の操作に応じて、前記光学機器の光軸に沿った方向および前記光軸に直交する方向を含む複数の方向に移動可能であり、前記貫通穴には、前記アクセサリと前記光学機器とを固定するために前記アクセサリの前記ネジが挿入され、且つ前記貫通穴は、前記ネジの径よりも大きい径を備える。
本発明の他の側面としての光学機器は、アダプタを介してアクセサリが取り付け可能である光学機器であって、前記アダプタは、貫通穴が形成され、前記光学機器に接触するアダプタ本体部と、前記光学機器との位置決めを行う第１の位置決め手段と、を有し、前記アクセサリは、前記アダプタに接触するアクセサリ本体部と、前記アダプタとの位置決めを行う第２の位置決め手段と、前記貫通穴を介して前記光学機器のネジ穴に螺合可能なネジと、前記アクセサリ本体部に対して前記ネジを移動させる操作部と、を有し、前記ネジは、ユーザによる前記操作部の操作に応じて、前記光学機器の光軸に沿った方向および前記光軸に直交する方向を含む複数の方向に移動可能であり、前記貫通穴には、前記アクセサリと前記光学機器とを固定するために前記アクセサリの前記ネジが挿入され、且つ前記貫通穴は、前記ネジの径よりも大きい径を備える。